(57)【特許請求の範囲】
【請求項１】
１台の操作機と、この操作機に並設され、操作機からの制御信号により各々施錠、解錠される複数のロッカーとを具備した集中制御式貸ロッカー装置において、
前記各ロッカーにはロッカー番号表示が設けられ、
前記操作機は、
貨幣が投入される貨幣投入口と、
この貨幣投入口に投入された貨幣を識別する貨幣識別部と、
この貨幣識別部で識別される投入金額を演算する演算部と、
ロッカー番号およびロッカー使用者判別情報が入力される操作部と、
操作案内を表示する表示部と、
前記演算部からの演算信号と前記操作部からのロッカー番号およびロッカー使用者判別情報の入力によって、対応するロッカーを解錠可能か否か判断する判断手段と、
前記ロッカーの解錠が指令される解錠指令手段と、
この解錠指令手段による解錠指令の入力時から対応するロッカーを解錠させるまでの任意の遅延時間を設定する解錠遅延時間設定手段と、
前記判断手段で解錠可能と判断されたとき、前記表示部に解錠可能の操作案内を表示させ、前記解錠遅延時間設定手段により解錠までの任意の時間が設定された後に前記解錠指令手段が操作されることにより、この解錠指令手段による解錠指令の入力時から前記解錠遅延時間設定手段で設定された遅延時間後に対応するロッカーを解錠させる制御部と
を具備していることを特徴とする集中制御式貸ロッカー装置。
【請求項２】
各ロッカーに、遅延時間経過中の解錠予告表示と遅延時間経過後の解錠完了表示とを区分して表示するロッカー解錠表示手段を設けたことを特徴とする請求項１記載の集中制御式貸ロッカー装置。
【発明の詳細な説明】
【０００１】
【発明の属する技術分野】
本発明は、１台の操作機で複数のロッカーを集中的に制御するようにした集中制御式貸ロッカー装置に関する。
【０００２】
【従来の技術】
従来、１台の操作機で複数のロッカーを集中的に制御するようにした集中制御式貸ロッカー装置としては、例えば特公平２−５２３１９号公報に記載された構成が知られている。
【０００３】
この集中制御式貸ロッカー装置では、荷物の預入時において、操作機の貨幣投入口に預入初期料金が投入され、預入モードが選択されるとともに暗証番号が入力されると、空のロッカーを自動的に指定し、さらに、そのロッカーに荷物が入れられて扉を閉じられると、その扉を施錠し、預入完了となる。
【０００４】
また、荷物の払出時において、操作機の貨幣投入口に払出初期料金や超過時の超過料金が投入された後、払出モードが選択されるとともにロッカー番号および暗証番号が入力されると、ロッカー番号と暗証番号との対応関係が預入時と一致するか判断し、一致すれば該当するロッカーの扉を直ちに解錠する。したがって、操作機で所定の払出操作を行なったロッカー使用者は、荷物を預け入れたロッカーの場所に移動し、そのロッカーの扉を開けて荷物を取り出せる。
【０００５】
【発明が解決しようとする課題】
しかしながら、従来の集中制御式貸ロッカー装置では、操作機で所定の払出操作が完了するのと同時に対応するロッカーが解錠されるため、操作機と荷物を預け入れてあるロッカーの場所とが離れている場合、操作機で所定の払出操作を行なった後にロッカーの場所に荷物を取りに行くまでの間に、ロッカーが解錠状態で放置されてしまう。そのため、特に、混雑した通路面に面した駅の貸ロッカー装置などでは、複数の人が相次いで使用した場合に誤って他人が解錠されたロッカーから荷物を取り出してしまったり、盗難にあうといった不具合がある。
【０００６】
本発明は、このような点に鑑みなされたもので、預入れた荷物を取り出す際、操作機で所定の払出操作を行なった使用者が操作機の場所からロッカーの場所に移動するまで、ロッカーの解錠を遅延できるようにし、ロッカーから誤って他の人が荷物を取り出したり、盗難にあうのを防止できる集中制御式貸ロッカー装置を提供することを目的とする。
【０００７】
【課題を解決するための手段】
請求項１記載の集中制御式貸ロッカー装置は、１台の操作機と、この操作機に並設され、操作機からの制御信号により各々施錠、解錠される複数のロッカーとを具備した集中制御式貸ロッカー装置において、前記各ロッカーにはロッカー番号表示が設けられ、前記操作機は、貨幣が投入される貨幣投入口と、この貨幣投入口に投入された貨幣を識別する貨幣識別部と、この貨幣識別部で識別される投入金額を演算する演算部と、ロッカー番号およびロッカー使用者判別情報が入力される操作部と、操作案内を表示する表示部と、前記演算部からの演算信号と前記操作部からのロッカー番号およびロッカー使用者判別情報の入力によって、対応するロッカーを解錠可能か否か判断する判断手段と、前記ロッカーの解錠が指令される解錠指令手段と、この解錠指令手段による解錠指令の入力時から対応するロッカーを解錠させるまでの任意の遅延時間を設定する解錠遅延時間設定手段と、前記判断手段で解錠可能と判断されたとき、前記表示部に解錠可能の操作案内を表示させ、前記解錠遅延時間設定手段により解錠までの任意の時間が設定された後に前記解錠指令手段が操作されることにより、この解錠指令手段による解錠指令の入力時から前記解錠遅延時間設定手段で設定された遅延時間後に対応するロッカーを解錠させる制御部とを具備しているものである。そして、預入れた荷物を取り出す際に、操作機で所定の払出操作が行なわれても、直ぐにはロッカーが解錠されず、任意に設定される解錠遅延時間の経過後にロッカーが解錠されるため、操作者が操作機の場所からロッカーの場所に移動するまで遅延させられる。
【０００８】
請求項２記載の集中制御式貸ロッカー装置は、請求項１記載の集中制御式貸ロッカー装置において、各ロッカーに、遅延時間経過中の解錠予告表示と遅延時間経過後の解錠完了表示とを区分して表示するロッカー解錠表示手段を設けたことを特徴とする。そして、ロッカーの位置が確認しやすく、ロッカーが施錠状態にあるのか解錠されたのかも確認しやすい。
【０００９】
【発明の実施の形態】
以下、本発明の集中制御式貸ロッカー装置の一実施の形態を図面を参照して説明する。
【００１０】
図１および図２において、１は集中制御式貸ロッカー装置で、この集中制御式貸ロッカー装置１は、ロッカー体２とこのロッカー体２に並設された操作機３とから構成されている。
【００１１】
ロッカー体２は縦列、横列に配列された複数のロッカー11を備え、各ロッカー11には各ロッカー11を閉塞する扉12が蝶番13により開閉可能に取り付けられ、この各扉12の外表面には取手14およびロッカー番号表示がそれぞれ設けられている。また、各ロッカー11の扉12の側部にはロッカー解錠表示手段としての表示ランプ15が配設されている。なお、各ロッカー11の内部には、扉12の施解錠用ソレノイドSD（図４に示す）および扉閉鎖スイッチSW（図４に示す）がそれぞれ設けられている。
【００１２】
操作機３は前面に操作部21を備え、この操作部21には、使用者に対して操作手順や操作案内を表示する表示部としての操作案内表示部22と、種々の金額を表示する金額表示部23と、ロッカー番号表示部24と、貨幣投入口25と、ロッカー番号およびロッカー使用者判別情報としての暗証番号を入力するキーボード26と、預入モードまたは払出モードを指定するモード選択手段としての預入キー27および払出キー28と、超過投入分の金額を放出する釣銭放出口29と、レシート出口30と、解錠指令手段としての解錠ボタン31と、解錠遅延時間設定手段としての解錠遅延時間設定スイッチ32と、解錠遅延時間の表示窓33とが設けられている。
【００１３】
金額表示部23は、使用者が貨幣を投入して真と判断された金額を表示する投入金額表示部23a と、預入後の日時の経過により加算された金額を表示する超過料金表示部23b と、超過料金の演算後の不足分の金額を表示する追加投入金額表示部23c とを備えている。
【００１４】
貨幣投入口25は、硬貨を投入する硬貨投入口25a と紙幣を投入する紙幣投入口25b とを備えている。
【００１５】
解錠遅延時間設定スイッチ32は、ロータリースイッチであり、このロータリースイッチに連結されたつまみ34の操作により、解錠ボタン31による解錠指令の入力時から対応するロッカー11を解錠させるまでの遅延時間を設定する。つまみ34は、図３に示すように、操作部21の前面に突出して回動操作されるつまみ34a と操作部21の裏面に回動可能に配置される表示板34b とを備え、表示板34b の前面には表示窓33を通じて解錠遅延時間を表示する解錠遅延時間の数字が表示されている。
【００１６】
なお、操作部21には予じめ定められた先払い金額および後払い金額を表示した例えばラベル35が貼られ、この先払い金額および後払い金額は合計して初期料金となるように設定され、例えば２００円用ロッカーの場合には半額ずつの１００円とする。それ故、先払い金額が預入用初期料金、後払い金額が払出用初期料金となる。
【００１７】
次に、集中制御式貸ロッカー装置１を制御する操作機３の制御部41について図４により説明する。
【００１８】
この制御部41には、貨幣識別部42の硬貨識別部43および紙幣識別部44によって真と判断された投入硬貨および投入紙幣の金額を演算する演算部45が接続されて、この演算部45から先払い金額（預入用初期料金）、後払い金額（払出用初期料金）預入経過日時の超過時に必要な超過料金に相当する演算信号が入力され、預入キー27および払出キー28が接続されて預入モードまたは払出モードのモード選択信号が入力され、キーボード26が接続されてロッカー番号（本実施の形態では払出時のみ）および暗証番号の入力信号が入力され、解錠ボタン31から解錠指令信号が入力され、解錠遅延時間設定スイッチから解錠遅延時間信号が入力され、時計装置46が接続されて日付、時間が入力される。
【００１９】
また、制御部41はメモリ47を備え、このメモリ47に各ロッカー番号に対する暗証番号および預入日時等の記憶信号が入出力される。なお、本実施の形態では、預入キー27の入力後のキーボード26からの暗証番号入力時にメモリ47を通じ、制御部41でロッカー番号が自動選択されるようになっているが、キーボード26からロッカー番号も入力する例の場合は、そのロッカー番号がメモリ47の記憶内容と照合された上でその番号が選定されるか否か判断される。
【００２０】
そして、制御部41は、次のように各動作を制御する。釣銭放出部48で超過投入分の金額を釣銭放出口29から放出させる。印字部49でレシートに預入日時およびロッカー番号等を印刷し、このレシートをレシート出口30から発行させる。金額表示部23で投入金額、超過料金、追加投入金額をそれぞれ各表示部23a ，23b ，23c によって表示させる。操作案内表示部22で貨幣が先払い金額（預入用初期料金）または後払い金額（払出用初期料金）以上投入された後に、例えば第５図に示すような、預入払出選択表示22a 、ロッカー番号入力表示22b 、暗証番号入力表示22c 、追加金額投入表示22d 、解錠可能表示22e をそれぞれ切り換えて表示させる。報知部50で扉12が一定時間以上開放された状態つまり扉12の閉め忘れ状態を使用者に対してブザー等により報知させる。
【００２１】
また、制御部41にはインターフェイス51を介して各ロッカー11に対応して設けられた複数のロッカー制御部52が接続されている。このロッカー制御部52は制御部41の制御信号により表示ランプ15の点滅制御、扉12を施解錠する施解錠用ソレノイドSDの励磁制御をそれぞれ行ない、また、扉閉鎖スイッチSWの接点切替信号を制御部41に入力する。
【００２２】
さらに、制御部41は、演算部45からの演算信号とキーボード26からのロッカー番号およびロッカー使用者判別情報の入力によって、対応するロッカー11を解錠可能か否か判断する判断手段の機能を有している。
【００２３】
次に、本実施の形態の作用を説明する。
【００２４】
まず、預入動作を第６図のフローチャートを参照して説明する。
【００２５】
集中制御式貸ロッカー装置１に電源が入れられて使用者に対して待機状態にある場合に、硬貨投入口25a に硬貨が投入されたか否かを判断し（ステップ１）、硬貨が投入されていればその硬貨の真偽を硬貨識別部43で識別判断し（ステップ２）、真であれば演算部45で演算し（ステップ３）、偽であればその偽貨を釣銭放出口29に返却し（ステップ４）、ステップ１に戻る。また、ステップ１で硬貨が投入されていなければ紙幣が投入されたか否かを判断し（ステップ５）、紙幣が投入されていなければステップ１に戻り、投入されていればその紙幣の真偽を紙幣識別部44で識別判断し（ステップ６）、真であればステップ３に行って演算部45で演算し、偽であればその偽貨を紙幣投入口25b から押し戻して返却し（ステップ７）、ステップ１に戻る。
【００２６】
そして、ステップ３で真の硬貨および紙幣が演算された合計金額が先払い金額（預入用初期料金）の例えば１００円以上か否かを判断し（ステップ８）、先払い金額（預入用初期料金）に達していなければステップ１に戻り、先払い金額（預入用初期料金）以上であれば預入キー27が操作されたか否かを判断する（ステップ９）。なお、投入された金額は投入金額表示部23a に表示され、また、ステップ８において投入金額が先払い金額（預入用初期料金）以上になると、無表示状態にあった操作案内表示部22が預入払出選択表示22a （図５参照）を使用者に対して表示する。
【００２７】
次に、ステップ９において預入キー27が操作されると、先払金額（預入用初期料金）と投入金額が一致するか否かを判断し（ステップ10）、超過投入金額分は釣銭放出口29に放出し（ステップ11）、操作案内表示部22の表示を暗証番号入力表示22c （第４図参照）に変更する。
【００２８】
次に、キーボード26にて暗証番号（例えば４桁の数字）が入力されると（ステップ12）、ロッカー番号表示部24に制御部41が指定する空のロッカー11のロッカー番号を表示するとともに（ステップ13）、印字部49でレシートにロッカー番号および預入日時等を印刷してこのレシートをレシート出口30から発行する（ステップ14）。なお、これらのロッカー番号、暗証番号、預入日時等は制御部41のメモリ47に記憶される。また、制御部41が指定した該当ロッカー11の表示ランプ15を点灯し（ステップ15）、使用者はその表示ランプ15の点灯する該当ロッカー11に被預入物としての荷物等を入れる（ステップ16）。
【００２９】
次に、該当ロッカー11の扉12が閉られたか否かを扉閉鎖スイッチSWの接点切換えにより判断し（ステップ17）、閉められていない場合には一定時間経過したか判断し（ステップ18）、経過していない場合はステップ17に戻り、経過している場合には報知部50を作動させて例えばブザー等により使用者に対して扉12の開状態つまり閉め忘れなどの状態を報知し（ステップ19）、ステップ17に戻る。
【００３０】
そして、ステップ17で扉12が閉められると、報知部50が作動状態か判断し（ステップ20）、作動状態であれば停止し（ステップ21）、また、該当ロッカー11の扉12を施解錠用ソレノイドSDにより施錠するとともに（ステップ22）、該当ロッカー11の表示ランプ15を消灯し（ステップ23）、一連の預入動作が終了する。
【００３１】
次に、払出動作を図７および図８のフローチャートを参照して説明する。
【００３２】
ステップ31からステップ37までは上述の預入時のステップ１からステップ７と同様に投入された硬貨および紙幣を識別して演算もしくは返却し、そして、演算された金額が後払い金額（払出用初期料金）の例えば１００円以上か否かを判断し（ステップ38）、後払い金額（払出用初期料金）以上であれば、払出キー28が操作されるのを待機する（ステップ39）。なお、投入された金額は投入金額表示部23a に表示され、また、ステップ33において投入金額が後払い金額（払出用初期料金）以上になると、無表示状態にあった操作案内表示部22が預入払出選択表示22a （図５参照）を使用者に対して表示する。
【００３３】
次に、ステップ39において払出キー28が入力されると、操作案内表示部22の表示をロッカー番号入力表示22b に切り換え、そして、キーボード26にてロッカー番号が入力されると（ステップ40）、ロッカー番号表示部24にその入力されたロッカー番号を表示し（ステップ41）、かつ、操作案内表示部22の表示を暗証番号入力表示22c （図５参照）に切り換え、キーボード26から暗証番号が入力されるのを待機する（ステップ42）。
【００３４】
そして、キーボード26にて暗証番号が入力されると、入力されたロッカー番号と暗証番号とが制御部41のメモリ47に記憶されているロッカー番号と暗証番号とに一致するか照合し（ステップ43）、一致しなければステップ40に戻って再度ロッカー番号と暗証番号の入力を促し、一致していればメモリ47の記憶する預入日時と現在の払出日時とを照合して預入期間が初期料金の期間範囲以上のために超過料金があるかどうか判断し（ステップ44）、超過料金がある場合にはその料金を超過料金表示部23b に表示するとともに（ステップ45）、その超過料金と後払い金額（払出用初期料金）とを加算演算する（ステップ46）。
【００３５】
次に、ステップ44で超過料金がなかったときの金額つまり後払い金額（払出用初期料金）あるいはステップ46で演算された後払い金額と超過料金との合計金額に対して投入金額が一致するか判断し（ステップ47）、一致しない場合には投入金額が超過しているか判断し（ステップ48）、超過している場合にはその超過分の釣銭を釣銭放出口29から放出し（ステップ49）、また、投入金額が不足している場合にはその不足金額分を追加投入金額表示部23c に表示する（ステップ50）。
【００３６】
そして、使用者が硬貨および紙幣を投入すると（ステップ51）、その貨幣の真偽を識別判断し（ステップ52）、偽であれば返却（ステップ53）してステップ51に戻り、真であればステップ46に戻って演算、金額照合がなされる。
【００３７】
ステップ47で金額が一致するかあるいはステップ49で釣銭が放出されると、操作案内表示部22の表示を解錠可能表示22e に切り換える（ステップ54）。解錠可能表示22e は、例えば、図５(e) に示すように、「解錠可能です。解錠までの時間を設定したのち解錠ボタンを押してください。」という内容とする。
【００３８】
そして、使用者は解錠遅延時間設定スイッチ32のつまみ34を回動操作して任意の解錠遅延時間を表示窓33に表示させる。このとき、例えば、利用しているロッカー11が操作機３から離れている場合にはそのロッカー11に到達するまでにかかる時間を考慮して長い解錠遅延時間を設定し、逆に、利用しているロッカー11が操作機３に近い場合には解錠待ちを少なくするために短い遅延時間を設定する。解錠遅延時間設定スイッチ32の回動位置に対応する解錠遅延時間はメモリ47に随時記憶する（ステップ55）。
【００３９】
次に、解錠ボタン31が押されたか判断し（ステップ56）、押されたならば、設定された解錠遅延時間の計時を開始するとともに、該当ロッカー11の表示ランプ15を点滅表示する（ステップ57）。そして、使用者は表示ランプ15が点滅表示している間すなわち解錠遅延時間中に該当ロッカー11の場所に移動する。
【００４０】
次に、解錠遅延時間が経過したか判断し（ステップ58）、経過したら、該当ロッカー11の表示ランプ15を点灯表示に切り換えるとともに（ステップ59）、該当ロッカー11の施解錠用ソレノイドSDによる扉12の施錠を解錠する（ステップ60）。そして、使用者は該当するロッカー11から荷物を出す（ステップ61）。
【００４１】
そして、扉12が解錠されてから一定時間経過すると（ステップ62）、該当ロッカー11の表示ランプ15を消灯し（ステップ63）、一連の払出動作が終了する。
【００４２】
以上のように、初期料金を預入用初期料金と払出用初期料金に分割して徴収するようにし、預入時は預入用初期料金を徴収して初めて預入操作を可能とするとともに、払出時は払出用初期料金を徴収して初めて払出操作を可能とすることにより、いたずらによってロッカー11の施錠が解除されるのを防止して荷物等の盗難を防止することができる。
【００４３】
しかも、預入れた荷物を取り出す際に、操作機３で所定の払出操作が行なわれても、直ぐにはロッカー11を解錠せず、任意に設定される解錠遅延時間の経過後にロッカー11を解錠するため、操作者が操作機３の場所からロッカー11の場所に移動するまで遅延させることにより、ロッカー11から誤って他の人が荷物を取り出したり、盗難にあうのを防止できる。
【００４４】
また、各ロッカー11の表示ランプ15により、遅延時間経過中の解錠予告表示と遅延時間経過後の解錠完了表示とを区分して表示するため、ロッカー11の位置が確認しやすく、ロッカー11が施錠状態にあるのか解錠されたのかを確認できる。
【００４５】
なお、前記実施の形態では、解錠遅延時間設定スイッチ32として、ロータリースイッチを用いているが、キーボード26で直接入力するようにしてもよい。
【００４６】
また、ロッカー使用者判別情報としては、暗証番号の他、記録媒体としてのカードや使用者の指紋などを利用してもよい。
【００４７】
また、前記実施の形態では、預入のときロッカー番号は制御部41により指定するようにしているが、使用者がキーボード26から置数して入力したロッカー番号を指定するようにしてもよい。
【００４８】
【発明の効果】
請求項１記載の集中制御式貸ロッカー装置によれば、預入れた荷物を取り出す際に、操作機で所定の払出操作が行なわれても、直ぐにはロッカーを解錠せず、任意に設定される解錠遅延時間の経過後にロッカーを解錠するため、操作者が操作機の場所からロッカーの場所に移動するまで遅延させることにより、ロッカーから誤って他の人が荷物を取り出したり、盗難にあうのを防止できる。
【００４９】
請求項２記載の集中制御式貸ロッカー装置によれば、請求項１記載の集中制御式貸ロッカー装置の効果に加えて、各ロッカーに設けたロッカー解錠表示手段により、遅延時間経過中の解錠予告表示と遅延時間経過後の解錠完了表示とを区分して表示するため、ロッカーの位置が確認しやすく、ロッカーが施錠状態にあるのか解錠されたのかを確認できる。
【図面の簡単な説明】
【図１】本発明の集中制御式貸ロッカー装置の一実施の形態を示す正面図である。
【図２】同上実施の形態の操作機の一部の正面図である。
【図３】同上実施の形態の解錠遅延時間設定手段のつまみの斜視図である。
【図４】同上実施の形態の制御部のブロック図である。
【図５】同上実施の形態の表示部の各表示例を(a) 〜(e) に説明する説明図である。
【図６】同上実施の形態の預入動作を示すフローチャートである。
【図７】同上実施の形態の払出動作を示すフローチャートである。
【図８】同上実施の形態の払出動作を示す図７に続くフローチャートである。
【符号の説明】
１    集中制御式貸ロッカー装置
３    操作機
11    ロッカー
15    ロッカー解錠表示手段としての表示ランプ
21    操作部
22    表示部としての操作案内表示部
25    貨幣投入口
31    解錠指令手段としての解錠ボタン
32    解錠遅延時間設定手段としての解錠遅延時間設定スイッチ
41    判断手段の機能を有する制御部
42    貨幣識別部
45    演算部
【図１】
0003737839.tif 000002
【図２】
0003737839.tif 000003
【図３】
0003737839.tif 000004
【図４】
0003737839.tif 000005
【図５】
0003737839.tif 000006
【図６】
0003737839.tif 000007
【図７】
0003737839.tif 000008
【図８】
0003737839.tif 000009